(57)【要約】【課題】  ランプを最適に冷却してフリッカ（アークジャンプ）を抑制可能なプロジェクタ装置を提供する。【解決手段】  制御部１から高圧放電灯点灯装置２へデータ要求信号Ａ３が送信されると、高圧放電灯点灯装置２は、ランプ電圧検出部２ａで検出したランプ電圧Ｖｌａに応じてランプ電圧データＢ１を制御部１へ送信する。制御部１は、受信したランプ電圧データＢ１に基づいてランプ電圧が所定の電圧値以上となった場合、ファンＦ１の回転数を減少させるファン駆動制御信号Ｃ１をファン駆動部３へ送信する。ファン駆動部３は、ファン駆動制御信号Ｃ１に基づいてファンＦ１の回転数を減少させ、ランプ電極の温度を低下させずに、フリッカ（アークジャンプ）を抑制する。【選択図】図１
2006154002.tif 000002
【特許請求の範囲】
【請求項１】
ランプと、ランプを点灯させる点灯手段と、ランプを冷却する冷却手段と、点灯手段および冷却手段の動作を制御する制御手段と、ランプ電圧を検出するランプ電圧検出手段とを備え、制御手段は、ランプ電圧が所定の電圧値以上となった場合、冷却手段によるランプ冷却の度合を抑制して、ランプのフリッカ発生を抑制することを特徴とするプロジェクタ装置。
【請求項２】
ランプと、ランプを点灯させる点灯手段と、ランプを冷却する冷却手段と、点灯手段および冷却手段の動作を制御する制御手段と、ランプ電流を検出するランプ電流検出手段とを備え、制御手段は、ランプ電流が所定の電流値以下となった場合、冷却手段によるランプ冷却の度合を抑制して、ランプのフリッカ発生を抑制することを特徴とするプロジェクタ装置。
【請求項３】
ランプと、ランプを点灯させる点灯手段と、ランプを冷却する冷却手段と、点灯手段および冷却手段の動作を制御する制御手段と、ランプのフリッカ発生を検出するフリッカ検出手段とを備え、制御手段は、フリッカを検出した場合、冷却手段によるランプ冷却の度合を抑制して、ランプのフリッカ発生を抑制することを特徴とするプロジェクタ装置。
【請求項４】
前記制御手段が冷却手段によるランプ冷却の度合を抑制してから所定時間経過後にランプ冷却の度合を増大させることを特徴とする請求項１乃至３いずれか記載のプロジェクタ装置。
【請求項５】
前記点灯手段と制御手段とは互いに通信するための通信手段を各々具備し、制御手段は、点灯手段から受け取ったランプの状態を示す信号に基づいてランプ冷却の度合を決定することを特徴とする請求項１乃至４いずれか記載のプロジェクタ装置。
【発明の詳細な説明】
【技術分野】
【０００１】
本発明は、プロジェクタ装置に関するものである。
【背景技術】
【０００２】
プロジェクタ装置には、省電力や静音化を目的として様々な条件のもとでランプの冷却ファンの風量を変更するものや、ランプの動作点を維持するために、ランプ電圧が所定電圧を超えるとランプ電圧が増加するにしたがって冷却ファンの風量を増大させるものがある。（例えば、特許文献１参照）。
【特許文献１】特開５６−３２１３２号公報（第６頁右下段１行〜１０行、図２）
【発明の開示】
【発明が解決しようとする課題】
【０００３】
ここで、ランプへの供給電力を切り替える前後でランプの冷却ファンの風量が変化しない場合、ランプ電力を低下させるということはランプ電流が低下するということであり、ランプ電流が下がるとランプ電極の温度も当然低下する。すると、ランプ電力の低下以前はハロゲンサイクルによって電極のアークスポット付近に戻って再び溶融していたタングステンが、ランプ電極の温度低下によってアークスポットの範囲が狭くなったために今までと同じ箇所に戻ったとしても溶融されず、蓄積されていって突起が形成されるため、フリッカ（アークジャンプ）を引き起こす。
【０００４】
また、映像信号が入力されていない場合、ランプに供給する電力を低減させて調光状態に切り替えるとともに、ランプの冷却ファンの風量も低減させるものが提案されている。例えば、全点灯時の電力＝１５０Ｗ、調光時の電力が１３０Ｗ、ランプの定格電圧が７５Ｖのプロジェクタ装置で、冷却ファンの風量は、全点灯時、調光時ともにランプ電圧が７５Ｖ（ランプ定格電圧）のときに最適となるように設定するのが一般的である。このとき、当然、全点灯時より調光時のほうが風量は低下する。しかし、超高圧放電灯の点灯装置は、ランプ電圧がある電圧以上のときにはランプへの供給電力を一定とする定電力制御を行うのが一般的であり、さらに超高圧水銀灯は使用している間にランプ電圧が上昇していくので、使用時間が長くなるにつれてランプ電圧が上昇して、ランプ電流は減少していく。そして寿命に近付くにつれてランプ電流が下がってランプ電極の温度が低下すると、フリッカ（アークジャンプ）が発生しやすくなり、フリッカが発生するとプロジェクタ装置の投射映像にチラツキが発生する。したがって、上記のように映像信号が入力されていない場合に冷却ファンの風量を低減すれば全体の消費電力は低く抑えられ、静音化を図ることができるかもしれないが、フリッカ（アークジャンプ）の発生は考慮されておらず、ランプにとって最適条件になる冷却方法であるとは言いがたい。
【０００５】
また、上記特許文献１のようにランプ電圧が増加するにしたがって冷却ファンの風量を増大させた場合は、使用時間が長くなるにつれてランプ電圧が上昇してランプ電流が下がりランプ電極の温度が低下しているにも関わらず冷却ファンの風量を増大させてしまうので、ランプ電極の温度がさらに低下してフリッカ（アークジャンプ）がさらに発生しやすい状況になり、これもランプにとって最適条件になる冷却方法であるとは言いがたい。
【０００６】
本発明は、上記事由に鑑みてなされたものであり、その目的は、ランプを最適に冷却してフリッカ（アークジャンプ）を抑制可能なプロジェクタ装置を提供することにある。
【課題を解決するための手段】
【０００７】
請求項１の発明は、ランプと、ランプを点灯させる点灯手段と、ランプを冷却する冷却手段と、点灯手段および冷却手段の動作を制御する制御手段と、ランプ電圧を検出するランプ電圧検出手段とを備え、制御手段は、ランプ電圧が所定の電圧値以上となった場合、冷却手段によるランプ冷却の度合を抑制して、ランプのフリッカ発生を抑制することを特徴とする。
【０００８】
この発明によれば、ランプ電圧が増加するとランプ冷却の度合を抑制することで、ランプの寿命等でランプ電流が下がった場合でも、ランプ電極の温度が低下することなく最適な温度を保持でき、フリッカ（アークジャンプ）を抑制することができる。
【０００９】
請求項２の発明は、ランプと、ランプを点灯させる点灯手段と、ランプを冷却する冷却手段と、点灯手段および冷却手段の動作を制御する制御手段と、ランプ電流を検出するランプ電流検出手段とを備え、制御手段は、ランプ電流が所定の電流値以下となった場合、冷却手段によるランプ冷却の度合を抑制して、ランプのフリッカ発生を抑制することを特徴とする。
【００１０】
この発明によれば、ランプ電流が低下するとランプ冷却の度合を抑制することで、ランプの寿命等でランプ電流が下がった場合でも、ランプ電極の温度が低下することなく最適な温度を保持でき、フリッカ（アークジャンプ）を抑制することができる。
【００１１】
請求項３の発明は、ランプと、ランプを点灯させる点灯手段と、ランプを冷却する冷却手段と、点灯手段および冷却手段の動作を制御する制御手段と、ランプのフリッカ発生を検出するフリッカ検出手段とを備え、制御手段は、フリッカを検出した場合、冷却手段によるランプ冷却の度合を抑制して、ランプのフリッカ発生を抑制することを特徴とする。
【００１２】
この発明によれば、フリッカ（アークジャンプ）を検出するとランプ冷却の度合を抑制することで、ランプ電極の温度を上昇させて、フリッカを抑制することができる。
【００１３】
請求項４の発明は、請求項１乃至３いずれかにおいて、前記制御手段が冷却手段によるランプ冷却の度合を抑制してから所定時間経過後にランプ冷却の度合を増大させることを特徴とする。
【００１４】
この発明によれば、ランプ冷却の度合を抑制してランプ電極の温度を上昇させることでフリッカ（アークジャンプ）が発生しなくなれば、再びランプ冷却の度合を増大させることでランプ電極の温度を最適に制御することができる。
【００１５】
請求項５の発明は、請求項１乃至４いずれかにおいて、前記点灯手段と制御手段とは互いに通信するための通信手段を各々具備し、制御手段は、点灯手段から受け取ったランプの状態を示す信号に基づいてランプ冷却の度合を決定することを特徴とする。
【００１６】
この発明によれば、ランプの様々な状態を示す信号からランプ冷却の度合を最適に制御することができ、ランプのフリッカ発生を効率的に抑制することができる。
【発明の効果】
【００１７】
以上説明したように、本発明では、ランプ電圧が増加するとランプ冷却の度合を抑制する、あるいはランプ電流が低下するとランプ冷却の度合を抑制する、あるいはフリッカ（アークジャンプ）を検出するとランプ冷却の度合を抑制することで、ランプを最適に冷却してフリッカ（アークジャンプ）を抑制可能なプロジェクタ装置を提供することができるという効果がある。
【発明を実施するための最良の形態】
【００１８】
以下、本発明の実施の形態を図面に基づいて説明する。
【００１９】
（実施形態１）
図１は、本実施形態のプロジェクタ装置Ｐのブロック構成を示しており、ランプＬａと、ファンＦ１と、制御部１と、高圧放電灯点灯装置２と、ファン駆動部３とから構成され、高圧放電灯点灯装置２はランプＬａを始動、点灯させ、さらにはランプ電圧Ｖｌａを検出するランプ電圧検出部２ａを具備しており、ファン駆動部３はファンＦ１を駆動してランプＬａを冷却する。制御部１は、高圧放電灯点灯装置２、ファン駆動部３の各動作を制御する。
【００２０】
プロジェクタ装置Ｐの動作について以下説明する。まず、制御部１から高圧放電灯点灯装置２へ、点灯・消灯信号Ａ１、電力切替信号Ａ２が送信され、高圧放電灯点灯装置２は、点灯・消灯信号Ａ１に基づいてランプＬａを点灯・消灯し、電力切替信号Ａ２に基づいてランプＬａへ供給する電力を切り替えることで、フル点灯と調光とを切り替える。
【００２１】
次に、ファンＦ１の駆動制御時の信号授受について図２に示す。まず、制御部１から高圧放電灯点灯装置２へデータ要求信号Ａ３が送信されると、高圧放電灯点灯装置２は、ランプ電圧検出部２ａで検出したランプ電圧Ｖｌａに応じてランプ電圧データＢ１を制御部１へ送信する。制御部１は、受信したランプ電圧データＢ１に基づいてファンＦ１の最適な回転数を算出し、ファン駆動制御信号Ｃ１をファン駆動部３へ送信する。ファン駆動部３は、ファン駆動制御信号Ｃ１に基づく回転数でファンＦ１を駆動するファン駆動電圧を出力する。
【００２２】
図３は、ファンＦ１の駆動制御における高圧放電灯点灯装置２の動作をフローチャートで示したもので、制御部１からデータ要求信号Ａ３を受信したか否かを判断し（ステップＳ１０）、データ要求信号Ａ３を受信していれば、ランプ電圧データＢ１を制御部１へ送信する（ステップＳ１１）。
【００２３】
図４は、ファンＦ１の駆動制御における制御部１の動作をフローチャートで示したもので、高圧放電灯点灯装置２へデータ要求信号Ａ３を送信し（ステップＳ２０）、次に高圧放電灯点灯装置２からランプ電圧データＢ１が送信されてきたか否かを判断する（ステップＳ２１）。ランプ電圧データＢ１が送信されれば、ランプ電圧データＢ１に基づいてランプ電圧Ｖｌａがしきい値Ｖ１以上か否かを判断し（ステップＳ２２）、ランプ電圧Ｖｌａがしきい値Ｖ１未満であれば、ファンＦ１の回転数をｆ１に設定する（ステップＳ２３）。ランプ電圧Ｖｌａがしきい値Ｖ１以上であれば、ファンＦ１の回転数をランプ電圧Ｖｌａに応じたｆ２（＜ｆ１）に設定して、ランプＬａの電極の温度を上昇させる（ステップＳ２４）。そして、回転数ｆ１または回転数ｆ２に応じたファン駆動制御信号Ｃ１をファン駆動部３へ送信する（ステップＳ２５）。すなわち、ランプ電圧Ｖｌａがしきい値Ｖ１以上となった場合はファンＦ１の回転数をｆ１からｆ２に低下させ、ファンＦ１の風量Ｗｌａを減少させて、ランプＬａの電極の温度を上昇させている。
【００２４】
次に、制御部１におけるファンＦ１の回転数ｆ２の設定について図５を用いて説明する。図５（ａ）はランプ電圧Ｖｌａに対するランプ電力Ｐｌａを示し、図５（ｂ）はランプ電圧Ｖｌａに対するランプ電流Ｉｌａを示す。ランプ電圧Ｖｌａがしきい値Ｖ０未満では、ランプ電流Ｉｌａは一定であり、ランプ電力Ｐｌａはランプ電圧Ｖｌａに比例して増加し、ランプ電圧Ｖｌａがしきい値Ｖ０以上では、ランプ電力Ｐｌａを一定とする定電力制御が行なわれて、ランプ電圧Ｖｌａが増加するにしたがってランプ電流Ｉｌａは連続的に減少していく。ここで、しきい値Ｖ０＜Ｖ１である。
【００２５】
まず、第１の設定方法として、図５（ｃ）に示すように、ランプ電圧Ｖｌａがしきい値Ｖ１未満ではファンＦ１の回転数をｆ１一定に設定し、ランプ電圧Ｖｌａがしきい値Ｖ１以上では、ファンＦ１の回転数をランプ電圧Ｖｌａに比例して連続的に減少するｆ２に設定することで、ファンＦ１の風量Ｗｌａを連続的に減少させる。
【００２６】
あるいは第２の設定方法として、図５（ｄ）に示すように、ランプ電圧Ｖｌａがしきい値Ｖ１未満ではファンＦ１の回転数をｆ１一定に設定し、ランプ電圧Ｖｌａがしきい値Ｖ１以上では、ファンＦ１の回転数をランプ電圧Ｖｌａの増加に伴い、ランプ電流Ｉｌａと同様に連続的に曲線状に減少するｆ２に設定することで、ファンＦ１の風量Ｗｌａを連続的に減少させる。
【００２７】
あるいは第３の設定方法として、図５（ｅ）に示すように、ランプ電圧Ｖｌａがしきい値Ｖ１未満ではファンＦ１の回転数をｆ１一定に設定し、ランプ電圧Ｖｌａがしきい値Ｖ１以上では、ファンＦ１の回転数を段階的に減少させたｆ２一定に設定することで、ファンＦ１の風量Ｗｌａを２段階に設定して段階的に減少させる。
【００２８】
あるいは第４の設定方法として、図５（ｆ）に示すように、ランプ電圧Ｖｌａがしきい値Ｖ１未満ではファンＦ１の回転数をｆ１一定に設定し、ランプ電圧Ｖｌａがしきい値Ｖ１以上Ｖ２未満では、ファンＦ１の回転数を段階的に減少させたｆ２一定に設定し、さらにランプ電圧Ｖｌａが増加してしきい値Ｖ２以上となった場合は、ファンＦ１の回転数を階段状にさらに減少させたｆ３一定に設定することで、ファンＦ１の風量Ｗｌａを３段階に設定して段階的に減少させてもよい。また、ファンＦ１の回転数の設定は４段階以上であってもよい。
【００２９】
このようにランプ電圧Ｖｌａが増加するとファンＦ１の風量Ｗｌａを減少させることで、ランプＬａの寿命等でランプ電流Ｉｌａが下がった場合でも、ランプ電極の温度が低下することなく最適な温度を保持でき、フリッカ（アークジャンプ）を抑制している。
【００３０】
なお、しきい値Ｖ１は、制御部１が定電力制御を開始する電圧Ｖ０、あるいはランプＬａの定格電圧を超えた電圧であってもよく、ランプＬａの温度が最適となる制御が可能な電圧に設定すればよい。
【００３１】
制御部１と高圧放電灯点灯装置２との間の通信は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を用いて行なわれ、例えば、通信レートを４８０００ｂｐｓ、スタートビットを１、データビットを８（ＬＳＢｆｉｒｓｔ）、パリティを１イーブンパリティビット、ストップビットを１とする。そして、データ要求信号Ａ３はデータビットにデータ要求のコマンドを格納することで構成され、ランプ電圧データＢ１はデータビットにランプ電圧検出値のデータを格納して構成されて、ＵＡＲＴを介して通信制御される。
【００３２】
あるいは、データ要求信号Ａ３にＨ，Ｌの信号を用いれば、データの要求をＵＡＲＴを介して通信制御する必要がなくなり、制御部１と高圧放電灯点灯装置２との間のインターフェースを簡素化できる。この場合、データ要求信号Ａ３がＨであればデータ要求あり、Ｌであればデータ要求なしとしても、あるいはデータ要求信号Ａ３がＬであればデータ要求あり、Ｈであればデータ要求なしとしても、いずれでもよい。
【００３３】
（実施形態２）
本実施形態のプロジェクタ装置Ｐは、ファンＦ１の駆動制御が実施形態１とは異なる。なお、実施形態１と同様の構成には同一の符号を付して説明は省略する。
【００３４】
本実施形態のファンＦ１の駆動制御時の信号授受について図６に示す。まず、制御部１から高圧放電灯点灯装置２へデータ要求信号Ａ３が送信されると、高圧放電灯点灯装置２は、ランプ電圧検出部２ａで検出したランプ電圧Ｖｌａに基づいてファンＦ１の最適な回転数を算出し、算出した回転数に応じてファン回転数データＢ２を制御部１へ送信する。制御部１は、受信したファン回転数データＢ２に基づいてファン駆動制御信号Ｃ１をファン駆動部３へ送信する。ファン駆動部３は、ファン駆動制御信号Ｃ１に基づく回転数でファンＦ１を駆動するファン駆動電圧を出力する。
【００３５】
図７は、ファンＦ１の駆動制御における高圧放電灯点灯装置２の動作をフローチャートで示したもので、制御部１からデータ要求信号Ａ３を受信したか否かを判断し（ステップＳ３０）、データ要求信号Ａ３を受信していれば、ランプ電圧Ｖｌａを検出して、ランプ電圧Ｖｌａがしきい値Ｖ１以上か否かを判断する（ステップＳ３１）。ランプ電圧Ｖｌａがしきい値Ｖ１未満であれば、ファンＦ１の回転数をｆ１に設定し（ステップＳ３２）、ランプ電圧Ｖｌａがしきい値Ｖ１以上であれば、ファンＦ１の回転数をランプ電圧Ｖｌａに応じたｆ２（＜ｆ１）に設定して（ステップＳ３３）、設定されたファンＦ１の回転数に基づくファン回転数データＢ２を制御部１へ送信する（ステップＳ３４）。ファンＦ１の回転数ｆ２の設定は実施形態１と同様に図５（ｃ）〜（ｆ）いずれかで示される方法で設定される。
【００３６】
図８は、ファンＦ１の駆動制御における制御部１の動作をフローチャートで示したもので、高圧放電灯点灯装置２へデータ要求信号Ａ３を送信し（ステップＳ４０）、次に高圧放電灯点灯装置２からファン回転数データＢ２が送信されてきたか否かを判断する（ステップＳ４１）。ファン回転数データＢ２が送信されれば、ファン回転数データＢ２に基づいてファン駆動制御信号Ｃ１をファン駆動部３へ送信する（ステップＳ４２）。
【００３７】
このようにランプ電圧Ｖｌａが増加するとファンＦ１の風量Ｗｌａを減少させることで、ランプＬａの寿命等でランプ電流Ｉｌａが下がった場合でも、ランプ電極の温度が低下することなく最適な温度を保持でき、フリッカ（アークジャンプ）を抑制している。
【００３８】
制御部１と高圧放電灯点灯装置２との間の通信は、実施形態１と同様にＵＡＲＴを用いて行なわれる。
【００３９】
また、ファンＦ１の回転数の設定が図５（ｅ）に示すようにｆ１一定、ｆ２一定の２段階である場合、制御部１から高圧放電灯点灯装置２へデータの要求はしないで（すなわちデータ要求信号Ａ３を用いない）、高圧放電灯点灯装置２では、ファンＦ１の回転数をｆ１に設定するかｆ２に設定するかによってＨまたはＬの信号をファン回転数データＢ２として制御部１へ送信し、制御部１では任意のタイミングで高圧放電灯点灯装置２からのファン回転数データＢ２がＨであるかＬであるかを確認し、そのファン回転数データＢ２のレベルに応じてファンＦ１の回転数をｆ１またはｆ２に設定する。この場合、ファン回転数データＢ２がＨであればファンＦ１の回転数をｆ１、ＬであればファンＦ１の回転数をｆ２に設定してもよく、あるいはファン回転数データＢ２がＬであればファンＦ１の回転数をｆ１、ＨであればファンＦ１の回転数をｆ２に設定してもよい。
【００４０】
また、データ要求信号Ａ３を用いる場合は、データ要求信号Ａ３をＨ、Ｌの信号としてもよい。
【００４１】
（実施形態３）
図９は、本実施形態のプロジェクタ装置Ｐのブロック構成を示しており、ランプＬａと、ファンＦ１と、制御部１と、高圧放電灯点灯装置２と、ファン駆動部３とから構成され、高圧放電灯点灯装置２はランプＬａを始動、点灯させ、さらにはランプ電流Ｉｌａを検出するランプ電流検出部２ｂを具備しており、ファン駆動部３はファンＦ１を駆動してランプＬａを冷却する。制御部１は、高圧放電灯点灯装置２、ファン駆動部３の各動作を制御する。
【００４２】
プロジェクタ装置Ｐの動作について以下説明する。まず、制御部１から高圧放電灯点灯装置２へ、点灯・消灯信号Ａ１、電力切替信号Ａ２が送信され、高圧放電灯点灯装置２は、点灯・消灯信号Ａ１に基づいてランプＬａを点灯・消灯し、電力切替信号Ａ２に基づいてランプＬａへ供給する電力を切り替えることで、フル点灯と調光とを切り替える。
【００４３】
次に、ファンＦ１の駆動制御時の信号授受について図１０に示す。まず、制御部１から高圧放電灯点灯装置２へデータ要求信号Ａ３が送信されると、高圧放電灯点灯装置２は、ランプ電流検出部２ｂで検出したランプ電流Ｉｌａに応じてランプ電流データＢ３を制御部１へ送信する。制御部１は、受信したランプ電流データＢ３に基づいてファンＦ１の最適な回転数を算出し、ファン駆動制御信号Ｃ１をファン駆動部３へ送信する。ファン駆動部３は、ファン駆動制御信号Ｃ１に基づく回転数でファンＦ１を駆動するファン駆動電圧を出力する。
【００４４】
ファンＦ１の駆動制御における高圧放電灯点灯装置２の動作は実施形態１と同様に図３に示される。
【００４５】
図１１は、ファンＦ１の駆動制御における制御部１の動作をフローチャートで示したもので、高圧放電灯点灯装置２へデータ要求信号Ａ３を送信し（ステップＳ６０）、次に高圧放電灯点灯装置２からランプ電流データＢ３が送信されてきたか否かを判断する（ステップＳ６１）。ランプ電流データＢ３が送信されれば、ランプ電流データＢ３に基づいてランプ電流Ｉｌａがしきい値Ｉ１以下か否かを判断し（ステップＳ６２）、ランプ電流Ｉｌａがしきい値Ｉ１を超えていれば、ファンＦ１の回転数をｆ１に設定する（ステップＳ６３）。ランプ電流Ｉｌａがしきい値Ｉ１以下であれば、ファンＦ１の回転数をランプ電流Ｉｌａに応じたｆ２（＜ｆ１）に設定して、ランプＬａの電極の温度を上昇させる（ステップＳ６４）。そして、回転数ｆ１または回転数ｆ２に応じたファン駆動制御信号Ｃ１をファン駆動部３へ送信する（ステップＳ６５）。すなわち、ランプ電流Ｉｌａがしきい値Ｉ１以下となった場合はファンＦ１の回転数をｆ１からｆ２に低下させ、ファンＦ１の風量Ｗｌａを減少させて、ランプＬａの電極の温度を上昇させている。
【００４６】
次に、制御部１におけるファンＦ１の回転数ｆ２の設定について図１２を用いて説明する。なお本実施形態では、図１２（ａ）〜（ｆ）に示すフル点灯時の特性Ｙａについて説明する。図１２（ａ）はランプ電圧Ｖｌａに対するランプ電力Ｐｌａを示し、図１２（ｂ）はランプ電圧Ｖｌａに対するランプ電流Ｉｌａを示す。そして、ランプ電圧Ｖｌａがしきい値Ｖ０未満では、ランプ電流Ｉｌａは一定であり、ランプ電力Ｐｌａはランプ電圧Ｖｌａに比例して増加し、ランプ電圧Ｖｌａがしきい値Ｖ０以上では、ランプ電力Ｐｌａを一定とする定電力制御が行なわれて、ランプ電圧Ｖｌａが増加するにしたがってランプ電流Ｉｌａは連続的に減少していく。
【００４７】
まず、第１の設定方法として、図１２（ｃ）に示すように、ランプ電流Ｉｌａがしきい値Ｉ１を超えている場合では（このとき、ランプ電圧ＶｌａはＶ１未満となる）ファンＦ１の回転数をｆ１一定に設定し、ランプ電流Ｉｌａがしきい値Ｉ１以下では、ファンＦ１の回転数をランプ電流Ｉｌａの減少に伴い連続的に直線状に減少するｆ２ａに設定することで、ファンＦ１の風量Ｗｌａを連続的に減少させる。
【００４８】
あるいは第２の設定方法として、図１２（ｄ）に示すように、ランプ電流Ｉｌａがしきい値Ｉ１を超えている場合ではファンＦ１の回転数をｆ１一定に設定し、ランプ電流Ｉｌａがしきい値Ｉ１以下では、ファンＦ１の回転数をランプ電流Ｉｌａと同様に連続的に曲線状に減少するｆ２ａに設定することで、ファンＦ１の風量Ｗｌａを連続的に減少させる。
【００４９】
あるいは第３の設定方法として、図１２（ｅ）に示すように、ランプ電流Ｉｌａがしきい値Ｉ１を超えている場合ではファンＦ１の回転数をｆ１一定に設定し、ランプ電流Ｉｌａがしきい値Ｉ１以下では、ファンＦ１の回転数を段階的に減少させたｆ２ａ一定に設定することで、ファンＦ１の風量Ｗｌａを２段階に設定して段階的に減少させる。
【００５０】
あるいは第４の設定方法として、図１２（ｆ）に示すように、ランプ電流Ｉｌａがしきい値Ｉ１を超えている場合ではファンＦ１の回転数をｆ１一定に設定し、ランプ電流Ｉｌａがしきい値Ｉ２を超え且つしきい値Ｉ１以下では、ファンＦ１の回転数を段階的に減少させたｆ２ａ一定に設定し、さらにランプ電流Ｉｌａが減少してしきい値Ｉ２以下となった場合は、ファンＦ１の回転数を階段状にさらに減少させたｆ３ａ一定に設定することで、ファンＦ１の風量Ｗｌａを３段階に設定して段階的に減少させてもよい。また、ファンＦ１の回転数の設定は４段階以上であってもよい。
【００５１】
このようにランプ電流Ｉｌａが減少するとファンＦ１の風量Ｗｌａも減少させることで、ランプＬａの寿命等でランプ電流Ｉｌａが下がった場合でも、ランプ電極の温度が低下することなく最適な温度を保持でき、フリッカ（アークジャンプ）を抑制している。
【００５２】
なお、しきい値Ｉ１は、制御部１が定電力制御を開始するランプ電流Ｉ０、あるいは定格電圧を超えたランプ電圧Ｖｌａに対応するランプ電流であってもよく、ランプＬａの温度が最適となる制御が可能な電流に設定すればよい。
【００５３】
制御部１と高圧放電灯点灯装置２との間の通信は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を用いて行なわれ、例えば、通信レートを４８０００ｂｐｓ、スタートビットを１、データビットを８（ＬＳＢｆｉｒｓｔ）、パリティを１イーブンパリティビット、ストップビットを１とする。そして、データ要求信号Ａ３はデータビットにデータ要求のコマンドを格納することで構成され、ランプ電流データＢ３はデータビットにランプ電流検出値のデータを格納して構成されて、ＵＡＲＴを介して通信制御される。
【００５４】
あるいは、データ要求信号Ａ３にＨ，Ｌの信号を用いれば、データの要求をＵＡＲＴを介して通信制御する必要がなくなり、制御部１と高圧放電灯点灯装置２との間のインターフェースを簡素化できる。この場合、データ要求信号Ａ３がＨであればデータ要求あり、Ｌであればデータ要求なしとしても、あるいはデータ要求信号Ａ３がＬであればデータ要求あり、Ｈであればデータ要求なしとしても、いずれでもよい。
【００５５】
（実施形態４）
実施形態３では、ランプ電流Ｉｌａとしきい値Ｉ１とを比較することでファンＦ１の駆動制御を行なうが、ランプ電流Ｉｌａ以下となるランプ電圧Ｖｌａはフル点灯時と調光時とでは異なる（例えば図１２においては、フル点灯時：Ｖ１、調光時：Ｖ０）。したがって、実施形態１と同様の構成を有してランプ電圧Ｖｌａを検出し、ランプ電流Ｉｌａ＝Ｉ１に対応するランプ電圧Ｖｌａ（図１２における電圧Ｖ０またはＶ１）をしきい値としても、実施形態３と同様にランプ電流ＩｌａでファンＦ１の駆動制御を行なうことと等価になる。
【００５６】
そこで本実施形態のプロジェクタ装置Ｐは、実施形態１と同様の構成を有し、且つフル点灯時と調光時との各特性に応じたファンＦ１の駆動制御を行なうもので、実施形態１と同様の構成には同一の符号を付して説明は省略する。
【００５７】
ファンＦ１の駆動制御における動作は実施形態１と同様に図２、図３に示される。
【００５８】
図１３は、ファンＦ１の駆動制御における制御部１の動作をフローチャートで示したもので、高圧放電灯点灯装置２へデータ要求信号Ａ３を送信し（ステップＳ７０）、次に高圧放電灯点灯装置２からランプ電圧データＢ１が送信されてきたか否かを判断する（ステップＳ７１）。ランプ電圧データＢ１が送信されれば、現在のランプ電力Ｐｌａの設定がフル点灯であるか調光であるかを判断する（ステップＳ７２）。
【００５９】
そして、フル点灯であれば、ランプ電圧データＢ１に基づいてランプ電圧Ｖｌａがしきい値Ｖ１以上か否かを判断し（ステップＳ７３）、ランプ電圧Ｖｌａがしきい値Ｖ１未満であれば、ファンＦ１の回転数をｆ１に設定する（ステップＳ７６）。ランプ電圧Ｖｌａがしきい値Ｖ１以上であれば、ファンＦ１の回転数をランプ電圧Ｖｌａに応じたｆ２ａ（＜ｆ１）に設定して、ランプＬａの電極の温度を上昇させる（ステップＳ７５）。そして、回転数ｆ１または回転数ｆ２ａに応じたファン駆動制御信号Ｃ１をファン駆動部３へ送信する（ステップＳ７８）。
【００６０】
調光であれば、ランプ電圧データＢ１に基づいてランプ電圧Ｖｌａがしきい値Ｖ０（＜Ｖ１）以上か否かを判断し（ステップＳ７４）、ランプ電圧Ｖｌａがしきい値Ｖ０未満であれば、ファンＦ１の回転数をｆ１に設定する（ステップＳ７６）。ランプ電圧Ｖｌａがしきい値Ｖ０以上であれば、ファンＦ１の回転数をランプ電圧Ｖｌａに応じたｆ２ｂ（＜ｆ１）に設定して、ランプＬａの電極の温度を上昇させる（ステップＳ７７）。そして、回転数ｆ１または回転数ｆ２ｂに応じたファン駆動制御信号Ｃ１をファン駆動部３へ送信する（ステップＳ７８）。
【００６１】
次に、制御部１におけるファンＦ１の回転数ｆ２ａ，ｆ２ｂの設定について図１２を用いて説明する。なお、図１２（ａ）〜（ｆ）で、特性Ｙａはフル点灯時の特性、特性Ｙｂは調光時の特性を各々示している。そして、フル点灯時の特性Ｙａにおいてランプ電圧Ｖｌａがしきい値Ｖ０未満では、ランプ電流Ｉｌａは一定でありランプ電力Ｐｌａは増加し、ランプ電圧Ｖｌａがしきい値Ｖ０以上では、ランプ電力Ｐｌａを一定とする定電力制御が行なわれて、ランプ電圧Ｖｌａが増加するにしたがってランプ電流Ｉｌａは連続的に減少していく。
【００６２】
まず、第１の設定方法として、図１２（ｃ）に示すように、フル点灯時のランプ電圧Ｖｌａがしきい値Ｖ１未満、または調光時のランプ電圧Ｖｌａがしきい値Ｖ０未満の場合（このとき、ランプ電流Ｉｌａがしきい値Ｉ１を超えている）、ファンＦ１の回転数をｆ１一定に設定し、フル点灯時のランプ電圧Ｖｌａがしきい値Ｖ１以上、または調光時のランプ電圧Ｖｌａがしきい値Ｖ０以上の場合（このとき、ランプ電流Ｉｌａがしきい値Ｉ１以下となる）、ファンＦ１の回転数をランプ電圧Ｖｌａに比例して連続的に減少するｆ２ａ（フル点灯時），ｆ２ｂ（調光時）に設定することで、ファンＦ１の風量Ｗｌａを連続的に減少させる。
【００６３】
あるいは第２の設定方法として、図１２（ｄ）に示すように、フル点灯時のランプ電圧Ｖｌａがしきい値Ｖ１未満、または調光時のランプ電圧Ｖｌａがしきい値Ｖ０未満の場合、ファンＦ１の回転数をｆ１一定に設定し、フル点灯時のランプ電圧Ｖｌａがしきい値Ｖ１以上、または調光時のランプ電圧Ｖｌａがしきい値Ｖ０以上の場合、ファンＦ１の回転数をランプ電圧Ｖｌａの減少に伴い、ランプ電流Ｉｌａと同様に連続的に減少するｆ２ａ（フル点灯時），ｆ２ｂ（調光時）に設定することで、ファンＦ１の風量Ｗｌａを連続的に減少させる。
【００６４】
あるいは第３の設定方法として、図１２（ｅ）に示すように、フル点灯時のランプ電圧Ｖｌａがしきい値Ｖ１未満、または調光時のランプ電圧Ｖｌａがしきい値Ｖ０未満の場合、ファンＦ１の回転数をｆ１一定に設定し、フル点灯時のランプ電圧Ｖｌａがしきい値Ｖ１以上、または調光時のランプ電圧Ｖｌａがしきい値Ｖ０以上の場合、ファンＦ１の回転数を段階的に減少させたｆ２ａ一定（フル点灯時），ｆ２ｂ一定（調光時）に設定することで、ファンＦ１の風量Ｗｌａを２段階に設定して段階的に減少させる。
【００６５】
あるいは第４の設定方法として、図１２（ｆ）に示すように、フル点灯時のランプ電圧Ｖｌａがしきい値Ｖ１未満、または調光時のランプ電圧Ｖｌａがしきい値Ｖ０未満の場合、ファンＦ１の回転数をｆ１一定に設定し、フル点灯時のランプ電圧Ｖｌａがしきい値Ｖ１以上Ｖ２ａ未満、または調光時のランプ電圧Ｖｌａがしきい値Ｖ０以上Ｖ２ｂ未満の場合、ファンＦ１の回転数を段階的に減少させたｆ２ａ一定（フル点灯時），ｆ２ｂ一定（調光時）に設定し、さらにランプ電圧Ｖｌａが増加してフル点灯時のランプ電圧Ｖｌａがしきい値Ｖ２ａ以上、または調光時のランプ電圧Ｖｌａがしきい値Ｖ２ｂ以上となった場合は、ファンＦ１の回転数を階段状にさらに減少させたｆ３ａ一定（フル点灯時），ｆ３ｂ一定（調光時）に設定することで、ファンＦ１の風量Ｗｌａを３段階に設定して段階的に減少させてもよい。また、ファンＦ１の回転数の設定は４段階以上であってもよい。
【００６６】
このようにランプ電圧Ｖｌａが増加するとファンＦ１の風量Ｗｌａを減少させることで、ランプＬａの寿命等でランプ電流Ｉｌａが下がった場合でも、ランプ電極の温度が低下することなく最適な温度を保持でき、フリッカ（アークジャンプ）を抑制している。
【００６７】
（実施形態５）
本実施形態のプロジェクタ装置Ｐは、ファンＦ１の駆動制御が実施形態３とは異なる。なお、実施形態３と同様の構成には同一の符号を付して説明は省略する。
【００６８】
本実施形態では、図９に示すようにファンＦ１とファンＦ２（破線）の２つのファンを備えており、実施形態３のようにファンの回転数を制御する代わりに、ファンＦ１とファンＦ２との両方を駆動する、あるいはファンＦ１のみを駆動する、あるいはファンＦ２のみを駆動するというように、複数のファンのうち駆動するファンを切り替えることで、風量を変更している。
【００６９】
したがって、回転数制御に比べて、複雑な制御回路を必要とせず、容易にファンの風量を変更することができる。なお、ファンの数は２つに限定されるものではなく、３つ以上であってもよい。
【００７０】
（実施形態６）
図１４は、本実施形態のプロジェクタ装置Ｐのブロック構成を示しており、ランプＬａと、ファンＦ１と、制御部１と、高圧放電灯点灯装置２と、ファン駆動部３と、フリッカ検出部４と、光センサ５とから構成され、高圧放電灯点灯装置２はランプＬａを始動、点灯させて、ファン駆動部３はファンＦ１を駆動してランプＬａを冷却する。制御部１は、高圧放電灯点灯装置２、ファン駆動部３の各動作を制御する。光センサ５はフォトダイオード等で構成されてランプＬａの照射光を検出し、フリッカ検出部４はコンパレータ等で構成されて光センサ５からの信号に基づいてランプＬａのフリッカ（アークジャンプ）を検出する。
【００７１】
プロジェクタ装置Ｐの動作について以下説明する。まず、制御部１から高圧放電灯点灯装置２へ、点灯・消灯信号Ａ１、電力切替信号Ａ２が送信され、高圧放電灯点灯装置２は、点灯・消灯信号Ａ１に基づいてランプＬａを点灯・消灯し、電力切替信号Ａ２に基づいてランプＬａへ供給する電力を切り替えることで、フル点灯と調光とを切り替える。
【００７２】
次に、ファンＦ１の駆動制御時の信号授受について図１５に示す。まず、本実施形態では制御部１と高圧放電灯点灯装置２との間でフリッカ検出データのやり取りはなく、制御部１は、フリッカ検出部４から受信したフリッカ検出データＢ４に基づいてファンＦ１の最適な回転数を算出し、ファン駆動制御信号Ｃ１をファン駆動部３へ送信する。ファン駆動部３は、ファン駆動制御信号Ｃ１に基づく回転数でファンＦ１を駆動するファン駆動電圧を出力する。
【００７３】
図１６は、ファンＦ１の駆動制御における制御部１の動作をフローチャートで示したもので、制御部１は、フリッカ検出部４から受信したフリッカ検出データＢ４に基づいてフリッカを検出したか否かを判断し（ステップＳ８０）、フリッカを検出していなければ、ファンＦ１の回転数をｆ１に設定する（ステップＳ８６）。そして、回転数ｆ１に応じたファン駆動制御信号Ｃ１をファン駆動部３へ送信する（ステップＳ８７）。
【００７４】
また、本例では高圧放電灯点灯装置２から受信したランプ電圧データＢ１に基づいてランプ電圧Ｖｌａを検出しており、フリッカを検出した場合、ファンＦ１の回転数をランプ電圧Ｖｌａに応じたｆ２（＜ｆ１）に設定する（ステップＳ８１）。そして、回転数ｆ２に応じたファン駆動制御信号Ｃ１をファン駆動部３へ送信して、ランプＬａの電極の温度を上昇させる（ステップＳ８２）と同時に、タイマの計時動作をリセットした後スタートさせ（ステップＳ８３）、タイマの計時値が設定時間Ｔ１未満であれば、回転数ｆ２に応じたファン駆動制御信号Ｃ１をファン駆動部３へ送信し続ける（ステップＳ８４）。タイマの計時値が設定時間Ｔ１以上になると、再度フリッカ検出を行ない（ステップＳ８０）、ファンＦ１を回転数ｆ１で駆動するか、あるいは回転数ｆ２で駆動するかを再度決定する。  すなわち、図１７のタイムチャートに示すように、通常は回転数ｆ１でファンＦ１を駆動し、フリッカを検出した時点ｔ１から設定時間Ｔ１の間は回転数ｆ２でファンＦ１を駆動して、設定時間Ｔ１が経過した時点でフリッカを検出しなければファンＦ１の回転数をｆ２からｆ１に戻す。
【００７５】
このようにフリッカ（アークジャンプ）を検出するとファンＦ１の風量Ｗｌａを減少させることで、ランプ電極の温度を上昇させて、フリッカを抑制している。
【００７６】
なお、ファンＦ１の回転数ｆ２はランプ電圧Ｖｌａに応じて設定されているが、ランプ電流Ｉｌａに応じて設定してもよい。
【００７７】
また、実施形態５と同様に複数のファンを備えて、複数のファンのうち駆動するファンを切り替えることで、風量を変更すれば、回転数制御に比べて、複雑な制御回路を必要とせず、容易にファンの風量を変更することができる。
【００７８】
（実施形態７）
本実施形態のプロジェクタ装置Ｐは、ファンＦ１の駆動制御が実施形態６とは異なる。なお、実施形態６と同様の構成には同一の符号を付して説明は省略する。
【００７９】
本実施形態のファンＦ１の駆動制御時の信号授受について図１８に示す。まず、本実施形態では制御部１と高圧放電灯点灯装置２との間でフリッカ検出データのやり取りはなく、制御部１はタイマを備えており、フリッカ検出部４から受信したフリッカ検出データＢ４とタイマで計時した経過時間とに基づいてファンＦ１の最適な回転数を算出し、ファン駆動制御信号Ｃ１をファン駆動部３へ送信する。ファン駆動部３は、ファン駆動制御信号Ｃ１に基づく回転数でファンＦ１を駆動するファン駆動電圧を出力する。
【００８０】
図１９は、ファンＦ１の駆動制御における制御部１の動作をフローチャートで示したもので、フリッカ検出時の動作は実施形態６と同様に、フリッカを検出した時点ｔ１から設定時間Ｔ１の間は回転数ｆ２でファンＦ１を駆動する（ステップＳ８０〜Ｓ８５）。
【００８１】
そして、設定時間Ｔ１の間、回転数ｆ２でファンＦ１を駆動した後、フリッカを検出していなければ、タイマの計時動作をリセットした後スタートさせ（ステップＳ９０）、タイマの計時値が設定時間Ｔ２未満であれば、次にファン１の回転数がｆ１未満か否かを判断し（ステップＳ９２）、ファン１の回転数がｆ１未満であれば、タイマの計時値が増加するにつれてファンＦ１の回転数をｆ２から徐々に増加させていき（ステップＳ９３）、その回転数に応じたファン駆動制御信号Ｃ１をファン駆動部３へ送信する（ステップＳ９４）。そして、タイマの計時値が設定時間Ｔ２以上、あるいはファン１の回転数がｆ１以上になれば、タイマの計時動作をストップさせて（ステップＳ９５）、ファンＦ１の回転数をｆ１に設定し（ステップＳ９６）、回転数ｆ１に応じたファン駆動制御信号Ｃ１をファン駆動部３へ送信する（ステップＳ９７）。
【００８２】
すなわち、図２０のタイムチャートに示すように、通常は回転数ｆ１でファンＦ１を駆動し、フリッカを検出した時点ｔ１から設定時間Ｔ１の間は回転数ｆ２でファンＦ１を駆動して、設定時間Ｔ１が経過した時点でフリッカを検出しなければ、次にファンＦ１の回転数をｆ２から増加させ、設定時間Ｔ２が経過した時点、あるいはファン１の回転数がｆ１以上になった時点でファンＦ１の回転数をｆ１に維持する。
【００８３】
このようにフリッカ（アークジャンプ）を検出するとファンＦ１の風量Ｗｌａを減少させることで、ランプ電極の温度を上昇させて、フリッカを抑制するとともに、フリッカを抑制した後はランプ電極の温度を最適に制御することができる。
【００８４】
なお、ファンＦ１の回転数をｆ２からｆ１へ上昇させる傾きは、ランプ電圧Ｖｌａまたはランプ電流Ｉｌａに応じて設定してもよい。
【００８５】
（実施形態８）
図２１は、本実施形態のプロジェクタ装置Ｐのブロック構成を示しており、実施形態６，７のフリッカ検出部４を高圧放電灯点灯装置２の内部に設けたもので、制御部１と高圧放電灯点灯装置２との間でフリッカ検出データのやり取りを行なう。
【００８６】
ファンＦ１の駆動制御時の信号授受について図２２に示す。まず、制御部１から高圧放電灯点灯装置２へデータ要求信号Ａ３が送信されると、高圧放電灯点灯装置２は、フリッカ検出部４でフリッカ検出の「あり」「なし」に応じてフリッカ検出データＢ４を制御部１へ送信する。制御部１は、受信したフリッカ検出データに基づいてフリッカの「あり」「なし」を判断し、その判断結果に基づいてファン回転数を算出、変更して、ファン駆動制御信号Ｃ１をファン駆動部３へ送信する。ファン駆動部３は、ファン駆動制御信号Ｃ１に基づく回転数でファンＦ１を駆動するファン駆動電圧を出力する。
【００８７】
図２３は、ファンＦ１の駆動制御における高圧放電灯点灯装置２の動作をフローチャートで示したもので、制御部１からデータ要求信号Ａ３を受信したか否かを判断し（ステップＳ１００）、データ要求信号Ａ３を受信していれば、フリッカを検出したか否かを判断し（ステップＳ１０１）、フリッカを検出していなければ「フリッカなし」のデータを送信準備し（ステップＳ１０２）、フリッカを検出していれば「フリッカあり」のデータを送信準備して（ステップＳ１０３）、そのフリッカ検出データＢ４を制御部１へ送信する（ステップＳ１０４）。
【００８８】
ファンＦ１の駆動制御における制御部１の動作は実施形態６または実施形態７と同様に図１６または図１９に示される。
【００８９】
制御部１と高圧放電灯点灯装置２との間の通信は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を用いて行なわれ、通信レートを４８０００ｂｐｓ、スタートビットを１、データビットを８（ＬＳＢｆｉｒｓｔ）、パリティを１イーブンパリティビット、ストップビットを１とする。そして、データ要求信号Ａ３はデータビットにデータ要求のコマンドを格納することで構成され、ランプ電圧データＢ１はデータビットにランプ電圧検出値のデータを格納して構成されて、ＵＡＲＴを介して通信制御される。
【００９０】
あるいは、データ要求信号Ａ３にＨ，Ｌの信号を用いれば、データの要求をＵＡＲＴを介して通信制御する必要がなくなり、制御部１と高圧放電灯点灯装置２との間のインターフェースを簡素化できる。この場合、データ要求信号Ａ３がＨであればデータ要求あり、Ｌであればデータ要求なしとしても、あるいはデータ要求信号Ａ３がＬであればデータ要求あり、Ｈであればデータ要求なしとしても、いずれでもよい。
【００９１】
（実施形態９）
本実施形態では、制御部１と高圧放電灯点灯装置２との間の通信について説明する。
【００９２】
図２４は、制御部１と高圧放電灯点灯装置２との間の通信に用いるＵＡＲＴのインターフェース回路であり、制御部１のマイコンＭ１の出力ポートＴｘＤには抵抗Ｒ１を介してトランジスタＱ１のベース端子が接続され、制御電圧Ｖｃｃ−トランジスタＱ１のコレクタ端子間には抵抗Ｒ２とフォトカプラＰＣ１の入力ダイオードが接続され、トランジスタＱ１のエミッタ端子はグランドに接続されている。フォトカプラＰＣ１の出力トランジスタのコレクタ端子は、高圧放電灯点灯装置２のマイコンＭ２の入力ポートＲｘＤに接続されるとともに抵抗Ｒ３を介して制御電圧Ｖｃｃに接続されている。
【００９３】
また、高圧放電灯点灯装置２のマイコンＭ２の出力ポートＴｘＤには抵抗Ｒ４を介してトランジスタＱ２のベース端子が接続され、制御電圧Ｖｃｃ−トランジスタＱ２のコレクタ端子間には抵抗Ｒ５とフォトカプラＰＣ２の入力ダイオードが接続され、トランジスタＱ２のエミッタ端子はグランドに接続されている。フォトカプラＰＣ２の出力トランジスタのコレクタ端子は、制御部１のマイコンＭ１の入力ポートＲｘＤに接続されるとともに抵抗Ｒ６を介して制御電圧Ｖｃｃに接続されている。
【００９４】
そして、制御部１、高圧放電灯点灯装置２の各出力ポートＴｘＤがＨ信号を送信すると、送信先の入力ポートＲｘＤはＬ信号を受信する。
【００９５】
図２５は制御部１が送信するデータ要求信号Ａ３のデータビット（８ビット）に格納するコマンドの一例を示しており、ランプ電圧要求の場合は「０００００００１」、ランプ電流要求の場合は「００００００１０」、フリッカ検出要求の場合は「００００００１１」を格納する。
【００９６】
図２６は高圧放電灯点灯装置２が送信するデータのデータビット（８ビット）に格納する一例を示しており、ランプ電圧検出の場合は上位２ビットを「０１」、下位６ビットに「ランプ電圧Ｖｌａの検出データ０〜６３」を格納する。またランプ電流検出の場合は上位２ビットを「１０」、下位６ビットに「ランプ電流ＶＩａの検出データ０〜６３」を格納する。またフリッカ検出の場合は上位２ビットを「１１」、下位６ビットに「フリッカあり：１、フリッカなし：０」を格納する。
【００９７】
このように、制御部１と高圧放電灯点灯装置２との間の通信を行なう通信手段を備えることで、ランプＬａの様々な状態を示す信号からファンの回転数を最適に制御することができ、ランプＬａのフリッカ発生を効率的に抑制することができるのである。
【００９８】
なお、上記はコマンド、データの一例であり、上記以外にも任意に設定すればよい。
【図面の簡単な説明】
【００９９】
【図１】本発明の実施形態１のプロジェクタ装置のブロック構成を示す図である。
【図２】同上のファンの駆動制御時における信号授受を示す図である。
【図３】同上のファンの駆動制御における高圧放電灯点灯装置の動作を示すフローチャート図である。
【図４】同上のファンの駆動制御における制御部の動作を示すフローチャート図である。
【図５】（ａ）〜（ｆ）同上のファンの回転数の設定を示す図である。
【図６】本発明の実施形態２のファンの駆動制御時における信号授受を示す図である。
【図７】同上のファンの駆動制御における高圧放電灯点灯装置の動作を示すフローチャート図である。
【図８】同上のファンの駆動制御における制御部の動作を示すフローチャート図である。
【図９】本発明の実施形態３のプロジェクタ装置のブロック構成を示す図である。
【図１０】同上のファンの駆動制御時における信号授受を示す図である。
【図１１】同上のファンの駆動制御における制御部の動作を示すフローチャート図である。
【図１２】（ａ）〜（ｆ）同上のファンの回転数の設定を示す図である。
【図１３】本発明の実施形態４のファンの駆動制御における制御部の動作を示すフローチャート図である。
【図１４】本発明の実施形態６のプロジェクタ装置のブロック構成を示す図である。
【図１５】同上のファンの駆動制御時における信号授受を示す図である。
【図１６】同上のファンの駆動制御における制御部の動作を示すフローチャート図である。
【図１７】（ａ）（ｂ）同上のファンの駆動制御を示すタイムチャート図である。
【図１８】本発明の実施形態７のファンの駆動制御時における信号授受を示す図である。
【図１９】同上のファンの駆動制御における制御部の動作を示すフローチャート図である。
【図２０】（ａ）（ｂ）同上のファンの駆動制御を示すタイムチャート図である。
【図２１】本発明の実施形態８のプロジェクタ装置のブロック構成を示す図である。
【図２２】同上のファンの駆動制御時における信号授受を示す図である。
【図２３】同上のファンの駆動制御における高圧放電灯点灯装置の動作を示すフローチャート図である。
【図２４】本発明の実施形態９の制御部と高圧放電灯点灯装置との間の通信に用いるインターフェース回路を示す図である。
【図２５】同上のコマンドの一例を示す図である。
【図２６】同上のデータの一例を示す図である。
【符号の説明】
【０１００】
Ｐ  プロジェクタ装置
Ｌａ  ランプ
Ｆ１  ファン
１  制御部
２  高圧放電灯点灯装置
２ａ  ランプ電圧検出部
３  ファン駆動部
【図１】
2006154002.tif 000003
【図２】
2006154002.tif 000004
【図３】
2006154002.tif 000005
【図４】
2006154002.tif 000006
【図５】
2006154002.tif 000007
【図６】
2006154002.tif 000008
【図７】
2006154002.tif 000009
【図８】
2006154002.tif 000010
【図９】
2006154002.tif 000011
【図１０】
2006154002.tif 000012
【図１１】
2006154002.tif 000013
【図１２】
2006154002.tif 000014
【図１３】
2006154002.tif 000015
【図１４】
2006154002.tif 000016
【図１５】
2006154002.tif 000017
【図１６】
2006154002.tif 000018
【図１７】
2006154002.tif 000019
【図１８】
2006154002.tif 000020
【図１９】
2006154002.tif 000021
【図２０】
2006154002.tif 000022
【図２１】
2006154002.tif 000023
【図２２】
2006154002.tif 000024
【図２３】
2006154002.tif 000025
【図２４】
2006154002.tif 000026
【図２５】
2006154002.tif 000027
【図２６】
2006154002.tif 000028